(57)【要約】【課題】  広告及び／又は分野の機能を備えたクラウドの表示を支援する方法を提供する。【解決手段】  特定の実施形態に従って、グラフィカル・ユーザ・インタフェースの図形的なクラウドの表示が促される。図形的なクラウドは、ユーザ入力欄及び分野インタフェースを有する。ユーザ入力欄に入力された一組の入力タームが受信される。分野インタフェースに入力された選択分野が受信される。入力タームに関係し且つ選択分野に特有の１つ以上の出力タームが決定される。出力タームを有する図形的なクラウドの表示が促される。【選択図】  図３
2010123120.tif 000002
【特許請求の範囲】
【請求項１】
グラフィカル・ユーザ・インタフェースの図形的なクラウドであり、ユーザ入力欄及び分野インタフェースを有するクラウド、の表示を促す段階と、
前記ユーザ入力欄に入力された一組の入力タームを受信する段階と、
前記分野インタフェースに入力された選択分野を受信する段階と、
前記入力タームに関係し且つ前記選択分野に特有の１つ以上の出力タームを決定する段階と、
前記出力タームを有する前記図形的なクラウドの表示を促す段階と
を有する方法。
【請求項２】
分野追加要求及び１つ以上の分野検索タームを受信する段階と、
前記分野検索タームに関係する１つ以上の分野を検索する段階と、
前記１つ以上の分野を有する前記図形的なクラウドの表示を促す段階と、
前記１つ以上の分野からの選択結果を受信する段階と
を更に有する請求項１に記載の方法。
【請求項３】
新たな分野の作成を要求する分野作成要求を受信する段階と、
該分野に関する分野素材を受信する段階と、
前記新たな分野を前記分野素材にマッピングする段階と、
前記新たな分野を有する前記図形的なクラウドの表示を促す段階と
を更に有する請求項１に記載の方法。
【請求項４】
分野を作成する段階と、
作成された分野を１以上のその他のユーザに利用可能にする段階と
を更に有する請求項１に記載の方法。
【請求項５】
区別可能な図形的特徴を持つ前記選択分野を有する前記分野インタフェースの表示を促す段階
を更に有する請求項１に記載の方法。
【請求項６】
前記分野インタフェースは分野リストを有し、且つ
前記選択分野を受信する段階は、前記分野リストから選択された分野を受信する段階を有する、
請求項１に記載の方法。
【請求項７】
前記分野インタフェースは分野ボタンを有し、且つ
前記選択分野を受信する段階は、
前記分野ボタンが選択されたことを決定する段階と、
分野リストを有する分野メニューの表示を促す段階と、
前記分野リストから選択された分野を受信する段階と
を有する、
請求項１に記載の方法。
【請求項８】
前記図形的なクラウドを表示するための１つ以上の命令を有するクラウドコードにアクセスする段階と、
前記クラウドコードに従って前記図形的なクラウドの表示を促す段階と
を更に有する請求項１に記載の方法。
【請求項９】
１つ以上の予め存在する出力タームを前記クラウドに事前投入する段階
を更に有する請求項１に記載の方法。
【請求項１０】
１つ以上の有形のコンピュータ読み取り可能記憶媒体であって、実行されたときに、
グラフィカル・ユーザ・インタフェースの図形的なクラウドであり、ユーザ入力欄及び分野インタフェースを有するクラウド、の表示を促し、
前記ユーザ入力欄に入力された一組の入力タームを受信し、
前記分野インタフェースに入力された選択分野を受信し、
前記入力タームに関係し且つ前記選択分野に特有の１つ以上の出力タームを決定し、且つ
前記出力タームを有する前記図形的なクラウドの表示を促す
よう作用するロジック、を格納した媒体。
【請求項１１】
前記ロジックは、実行されたときに更に、
分野追加要求及び１つ以上の分野検索タームを受信し、
前記分野検索タームに関係する１つ以上の分野を検索し、
前記１つ以上の分野を有する前記図形的なクラウドの表示を促し、且つ
前記１つ以上の分野からの選択結果を受信する
よう作用する、請求項１０に記載の媒体。
【請求項１２】
前記ロジックは、実行されたときに更に、
新たな分野の作成を要求する分野作成要求を受信し、
該分野に関する分野素材を受信し、
前記新たな分野を前記分野素材にマッピングし、且つ
前記新たな分野を有する前記図形的なクラウドの表示を促す
よう作用する、請求項１０に記載の媒体。
【請求項１３】
前記分野インタフェースは分野リストを有し、且つ
前記ロジックは、実行されたときに更に、前記分野リストから選択された分野を受信することによって、前記選択分野を受信するよう作用する、
請求項１０に記載の媒体。
【請求項１４】
前記分野インタフェースは分野ボタンを有し、且つ
前記ロジックは、実行されたときに更に、
前記分野ボタンが選択されたことを決定すること、
分野リストを有する分野メニューの表示を促すこと、及び
前記分野リストから選択された分野を受信すること
によって、前記選択分野を受信するよう作用する、
請求項１０に記載の媒体。
【請求項１５】
グラフィカル・ユーザ・インタフェースの図形的なクラウドであり、ユーザ入力欄を有するクラウド、の表示を促す段階と、
前記ユーザ入力欄に入力された一組の入力タームを受信する段階と、
前記入力タームに関係する１つ以上の出力タームを決定する段階と、
前記入力ターム及び前記出力タームを有する組のうちの少なくとも１つのタームに関係する１つ以上の広告を特定する段階と、
前記１つ以上の広告を有する前記図形的なクラウドの表示を促す段階と
を有する方法。
【請求項１６】
前記１つ以上の広告を特定する段階は更に、
選択分野に特有の１つ以上の広告を特定する段階
を有する、請求項１５に記載の方法。
【請求項１７】
前記入力ターム及び前記出力タームを有する前記組の変更を検出する段階と、
変更された組のうちの少なくとも１つのタームに関係する１つ以上の次の広告を特定する段階と、
前記１つ以上の次の広告を有する前記図形的なクラウドの表示を促す段階と
を更に有する請求項１５に記載の方法。
【請求項１８】
１つ以上の有形のコンピュータ読み取り可能記憶媒体であって、実行されたときに、
グラフィカル・ユーザ・インタフェースの図形的なクラウドであり、ユーザ入力欄を有するクラウド、の表示を促し、
前記ユーザ入力欄に入力された一組の入力タームを受信し、
前記入力タームに関係する１つ以上の出力タームを決定し、
前記入力ターム及び前記出力タームを有する組のうちの少なくとも１つのタームに関係する１つ以上の広告を特定し、且つ
前記１つ以上の広告を有する前記図形的なクラウドの表示を促す
よう作用するロジック、を格納した媒体。
【請求項１９】
前記ロジックは、実行されたときに更に、選択分野に特有の１つ以上の広告を特定することによって前記１つ以上の広告を特定するよう作用する、請求項１８に記載の媒体。
【請求項２０】
前記ロジックは、実行されたときに更に、
前記入力ターム及び前記出力タームを有する前記組の変更を検出し、
変更された組のうちの少なくとも１つのタームに関係する１つ以上の次の広告を特定し、且つ
前記１つ以上の次の広告を有する前記図形的なクラウドの表示を促す
よう作用する、請求項１８に記載の媒体。
【発明の詳細な説明】
【技術分野】
【０００１】
本発明は、概して辞書編集分析の分野に関し、より具体的には広告及び分野の機能を備えたインタラクティブ且つ動的なクラウド（cloud）の表示を支援することに関する。
【背景技術】
【０００２】
検索結果を表示するためにグラフィカル・ユーザ・インタフェース（ＧＵＩ）が使用されることがある。ユーザが検索クエリーをＧＵＩに入力し、ＧＵＩがクエリーに対する検索結果を表示する。特定の状況において、ＧＵＩは、当該ＧＵＩの能力を拡張する機能を提供することができない。
【発明の概要】
【発明が解決しようとする課題】
【０００３】
本発明は、入力タームに関連した出力タームの表示を支援する従来技術に伴う欠点及び問題を軽減あるいは排除することを目的とする。
【課題を解決するための手段】
【０００４】
特定の実施形態に従って、グラフィカル・ユーザ・インタフェースの図形的なクラウドの表示が促される。図形的なクラウドは、ユーザ入力欄及び分野インタフェースを有する。ユーザ入力欄に入力された一組の入力タームが受信される。分野インタフェースに入力された選択分野が受信される。入力タームに関係し且つ選択分野に特有の１つ以上の出力タームが決定される。出力タームを有する図形的なクラウドの表示が促される。
【発明の効果】
【０００５】
本発明の特定の実施形態は１つ以上の技術的利点を提供し得る。一実施形態の技術的利点は、検索クエリーに関連付けられた１つ以上のタームに関係する１つ以上の広告を、クラウドが含み得ることである。一実施形態の別の技術的利点は、ユーザが分野を選択することが可能な分野インタフェースを、クラウドが含み得ることである。クラウドは、選択分野に特有のターム及び／又は広告を表示し得る。
【０００６】
本発明の具体的な実施形態は、上述の技術的利点のうちの一部又は全てを含むこともあるし、それらの何れをも含まないこともある。以下の説明、図面及び特許請求の範囲から、１つ以上のその他の技術的利点が当業者に明らかになる。
【図面の簡単な説明】
【０００７】
以下では、より完全なる本発明並びにその特徴及び利点の理解のため、以下の詳細な説明とともに添付の図面を参照する。
【図１】広告及び分野の機能を備えたインタラクティブ且つ動的なクラウドの表示を支援するために使用され得るシステムの一実施形態を示す図である。
【図２】図１のシステムとともに使用され得るグラフィカル・ユーザ・インタフェース（ＧＵＩ）の一例を示す図である。
【図３】広告及び分野の機能を備えたインタラクティブ且つ動的なクラウドの表示を支援するために使用され得る方法の一実施形態を示すフローチャートである。
【図４Ａ】図３の方法とともに使用され得るＧＵＩの一例を示す図である。
【図４Ｂ】図３の方法とともに使用され得るＧＵＩの一例を示す図である。
【図４Ｃ】図３の方法とともに使用され得るＧＵＩの一例を示す図である。
【図４Ｄ】図３の方法とともに使用され得るＧＵＩの一例を示す図である。
【図４Ｅ】図３の方法とともに使用され得るＧＵＩの一例を示す図である。
【発明を実施するための形態】
【０００８】
本発明の実施形態及び利点は、図面の図１−４Ｅを参照することによって、より十分に理解される。図面において、様々な図の中の同様な部分や対応する部分には、同様の参照符号を用いる。
【０００９】
図１は、広告及び分野の機能を備えたインタラクティブ且つ動的なクラウド（cloud）の表示を支援するために使用され得る一実施形態に係るシステム１０を示している。クラウドは、ユーザによって入力された検索語に関連する項目（ターム）を推薦する。クラウドはまた、検索に関連付けられたタームに関連する１つ以上の広告を含み得る。また、クラウドはユーザが分野を選択するときに用い得る分野インタフェースを含み得る。クラウドは、選択された分野に特有のターム及び／又は表示広告を推薦し得る。
【００１０】
図示した実施形態において、システム１０は、グラフィカル・ユーザ・インタフェース（ＧＵＩ）２４を表示するように構成されたクライアント２０と、サーバ２６とを含んでいる。サーバ２６は、インタフェース（ＩＦ）３０と、ロジック３２と、メモリ３４とを含んでいる。ロジック３２は、プロセッサ３６と、例えば関連性（リレイティドネス）エンジン４０、ＧＵＩファシリテータ４２、広告エンジン４１及び分野エンジン４３等のアプリケーション３８とを含んでいる。メモリ３４はターム４４及びアプリケーション３８を格納する。
【００１１】
クライアント２０は、ＧＵＩ２４を表示するように構成された如何なる好適な装置であってもよい。クライアント２０は、ディスプレーを備えたコンピュータ、テレビジョン、携帯機器（例えば、携帯情報端末（ＰＤＡ）又はセル方式電話など）、電子ゴーグル、又はその他の好適装置を含み得る。ＧＵＩ２４について、図２を参照して更に詳細に説明する。
【００１２】
図２は、クラウド５０を含むＧＵＩ２４の一例を示している。この例において、クラウド５０は、ターム（例えば、ターム４４等）、分野インタフェース５５、及び1つ以上の広告５７を含んでいる。
【００１３】
特定の実施形態において、クラウド５０のタームは、ユーザに推薦される１つ以上のターム、すなわち、出力ターム５２を含み得る。出力ターム５２は、ユーザ入力欄５６に入力された一組の入力ターム５４（０、１、２又はそれより多くの入力ターム５４を含み得る）に関連したものである。クラウドタームはまた、入力ターム５４の部分集合を含んでいてもよい。クラウドタームは、例えばアルファベット順や関連性の順など、如何なる好適な順序で配列されてもよい。これらのタームは、例えば好適なフォント、フォントサイズ、フォント色、下線、太字体、又は斜字体などといった好適な図形的な特徴を有していてもよい。タームの図形的特徴は、該ターム上でカーソルを移動させること又は該タームを選択することに伴って生じる音声をも含み得る。
【００１４】
特定の実施形態において、ターム（例えば、出力ターム５２）の図形的特徴は、該タームの入力ターム５４に対する関連度を指し示す。例えば、より大きいフォントサイズは、より高い関連度を指し示し得る。フォントサイズは何らかの好適な手法で関連性から決定され得る。一例として、フォントサイズは、タームの関連性ランキングに関する値を正規化し、その値をフォントサイズに変換することによって計算され得る。他の一例として、フォントサイズは、複数のタームを関連性によってランク付けし、各フォントサイズに所定数のタームを割り当てることによって計算されてもよい。
【００１５】
特定の実施形態において、クラウド５０は、更新された出力ターム５２をクラウド５０に表示させるよう入力ターム５４を変更するユーザアクションを生成するためにユーザが利用し得る１つ以上の図形的な要素を含み得る。図形的要素の例には、ユーザが選択し得るリンク、スライドし得るスライドバー、又はクリックし得るラジオボタンが含まれる。特定の実施形態において、クラウド５０は、出力ターム５２をプログラム制御でモジュール、ウェブページ、フォーム、アプリケーション・プログラミング・インタフェース（ＡＰＩ）又はアプリケーションに移すことができるような手段を提供し得る。
【００１６】
特定の実施形態において、広告５７は、例えばテキスト広告又はスポンサーリンク等、製品又はサービスを宣伝するために使用される広告を含み得る。広告５７は、ターム（例えば、入力ターム５４及び／又は出力ターム５２等）に関連付けられ、タームが変わると更新され得る。広告５７はタームに近接して表示されてもよい。広告５７については更に詳細に後述する。
【００１７】
特定の実施形態において、分野インタフェース５５は、ユーザが分野（例えば、ニュース、エネルギー、医療、又は分野の追加／作成）を選択し、選択された分野に特有の出力ターム５２及び／又は広告５７の表示を開始することを可能にする。ターム（又は広告）は、該ターム（又は広告）が当該分野にて重要な意味を有する場合、及び／又は該ターム（又は広告）の関連度が当該分野で決定される場合、当該分野に特有であると見なされ得る。特定の実施形態において、選択された分野は、例えば異なる色や大きいフォントサイズ等、区別可能な図形的特徴を有し得る。
【００１８】
特定の実施形態において、分野インタフェース５５は、ユーザが分野を選択することが可能な分野リストを提示し得る。分野は、例えばテキスト又はタブを用いる等、如何なる好適な図形的要素を用いて提示されてもよい。他の実施形態において、分野インタフェース５５は、ユーザが分野を選択することが可能な分野リストを有する分野メニューを表示するために選択され得る分野ボタンを有していてもよい。分野リスト、分野ボタン及び分野メニューは、例えば図示の例においてのように、クラウド５０の如何なる好適な位置に配置されてもよい。分野インタフェース５５については更に詳細に後述する。
【００１９】
クラウド５０は、例えば検索処理、タグ付け処理又は推薦処理などの如何なる好適な処理で用いられてもよい。検索処理において、クラウド５０の出力ターム５２は、検索エンジンクエリー、又はクエリーインタフェースを提供する別のシステム若しくはアプリケーション、への入力として用いられ得る。
【００２０】
タグ付け処理において、１つ以上の出力ターム５２は、タグを用いてコンテンツ（文書、文書の一部、画像、ビデオ、オーディオ、ニュース記事など）に注釈を付すために用いられ得る。コンテンツにタグを付そうとすることはクラウド５０をアクティブにし得る。コンテンツにタグを付すために、クラウド５０からタームが選択され得る。
【００２１】
推薦処理において、１つ以上の出力ターム５２は、アプリケーションの起動のための入力として用いられ得る。例えば、クラウド５０がウェブサイト（すなわち、ウェブサイトへのリンク）を表示する場合、ユーザはウェブサイトを選択してそのウェブサイトを開き得る。クラウド５０が楽曲（すなわち、楽曲ファイルへのリンク）を表示する場合、ユーザは楽曲を選択してその楽曲を再生し得る。ＧＵＩ２４については、サーバ２６を参照して更に詳細に後述する。
【００２２】
クラウド５０は何らかの好適な手法でポップアップ（すなわち、出現）、あるいはポップダウン（すなわち、消滅）してもよい。特定の実施形態において、クラウド５０は、例えば、カーソルがユーザ入力欄５６若しくはその他の指定領域の中に移動したとき、又はユーザ装置が特定の並進及び／又は回転運動で移動したときにポップアップし得る。クラウド５０は、例えば、カーソルがクラウド５０若しくは欄５６の外に移動したとき、所定の長さのユーザの無活動時間が経過したとき、ユーザ装置が特定の並進及び／又は回転動作で移動したとき、又は例えばクローズ（閉じる）ボタン若しくはアイコンをクリックする等のユーザアクションが行われたとき、消滅あるいは徐々に姿を消し得る。
【００２３】
特定の実施形態において、クラウド５０は、カーソルが文書、アプリケーション又はウェブページ内の例えば単語、リンク又はその他のオブジェクト等のオブジェクト上に移動した（且つ、場合により留まる）ときにポップアップし得る。そのような実施形態において、クラウド５０は、プログラム制御で第１の入力を受理し、そのオブジェクトに関連する、あるいはそのオブジェクトから得られた、出力ターム５２を表示し得る。出力ターム５２は、別のモジュール、ウェブページ、フォーム、ＡＰＩ、アプリケーション又は検索エンジンに提示するためにクエリーを策定するように選択されてもよい。
【００２４】
特定の実施形態において、クラウド５０はインタラクティブである。すなわち、ユーザはクラウド５０と対話するようにユーザアクションを実行し得る。ユーザアクションの例は、クリック、ドラッグ又はその他の方法でタームを選択すること、及び欄内でタームを入力、変更あるいは削除することを含む。ユーザアクションのその他の例は、ユーザによるユーザ装置の所定の方法（装置を平行移動且つ／或いは回転させる）での移動、ユーザによる装置の一部（キーボード、パッドボタン又はソフトキー）の選択を含む。特定の実施形態において、カーソルがターム上に移動されたとき、該タームは、該タームが特定のアクション（例えば、削除）に関して選択され得ることを指し示すように図形的特徴（例えば、色）を変化させてもよい。
【００２５】
特定の実施形態において、クラウド５０は動的である。すなわち、クラウド５０はユーザアクションに応答して更新され得る。例えば、クラウド５０は、ターム、タームの図形的特徴（例えば、フォントサイズ等）、又はその他の情報を更新し得る。
【００２６】
特定の実施形態において、クラウド５０は、クラウド５０の欄内に情報が入力される前に、出力ターム５２を事前投入されていてもよい。事前投入される出力ターム５２は、コンテキストの前後関係パラメータに従って選択されてもよい。コンテキストの例は、クラウド５０が位置する携帯機器のコンテキストを含み得る。そのようなコンテキストのパラメータの例は、装置の特徴（例えば、装置の位置又は装置の種類など）、装置ユーザの特徴（例えば、ユーザ履歴又はユーザのコミュニティの履歴など）、時間的特徴（例えば、日時、日付、曜日又は月など）、及び広告主によって後押しされる特徴を含む。
【００２７】
特定の実施形態において、ユーザアクション又はその他の活動（例えば、クラウド５０への入力として、別のアプリケーション、モジュール又はインタフェースからタームをプログラム制御で渡すこと）に応答して、クラウド５０の入力タームにタームが追加されてもよいし、あるいはクラウド５０の入力タームからタームが削除あるいは除外されてもよい。例えば、ユーザアクションによって入力タームが更新されてもよい。入力タームを更新することは、更新された出力タームを受け取るための関連性エンジン４０の呼び出しを生じさせる。そして、更新された出力タームでクラウド５０が更新される。
【００２８】
特定の実施形態において、クラウド５０は、既存の入力ターム５４に関連する新たな出力ターム５２で更新されてもよい。例えば、現在の分野における掘り下げたタームを返すことによって、新たな出力ターム５２が特定され得る。ここで、“掘り下げた”は、より専門的であり、より概略的でなく、且つ／或いは、より一般的でないことを意味する。他の一例として、異なる分野（例えば、クラウド付随の一組の所定分野とし得る）に従って関連性を決定することによって、新たな出力ターム５２が特定されてもよい。
【００２９】
入力ターム５４は如何なる好適な手法でクラウド５０から削除されてもよい。例えば、タームは、該タームを欄から消去することによって削除され得る。他の一例として、タームは、該ターム上にカーソルを移動し、選択された場合に該タームが削除されることになることを指し示すように該タームに図形的特徴を変化させ（例えば、赤字フォント又は抹消線フォントに変化させ）、そして該タームを選択することによって削除されてもよい。他の一例として、タームは、該ターム上にカーソルを移動し、該タームをダブルクリックすることによって削除されてもよい。
【００３０】
入力ターム５４は如何なる好適な手法で検索クエリーから排除されてもよい。例えば、タームは、該タームをクエリーに否定的に、例えば、“且つ［ターム］でない”様式で追加することによって排除され得る。他の一例として、タームは、右クリック又はシングルクリックし、該タームが否定状態であることを指し示すように図形的特徴が変化する（例えば、色の変化又は音声の起動など）まで保持し、そして該タームを選択することによって排除されてもよい。
【００３１】
特定の応答を生じさせるために、その他の好適なユーザアクションが実行されてもよい。特定の実施形態において、タームの異なる部分をクリックすることが該タームの追加又は排除を開始させてもよい。例えば、左側をクリックすることが追加を開始させ、右側をクリックすることが否定を開始させる（あるいは、この逆であってもよい）。特定の実施形態において、クラウド５０の異なる領域内で、あるいは異なるクラウド５０内でタームをクリックすることが、該タームの追加又は排除を開始させてもよい。例えば、タームの追加用に指定されたクラウド内でタームをクリックすることが追加を開始させ、タームの排除用に指定されたクラウド内でタームをクリックすることが排除を開始させる。
【００３２】
特定の実施形態において、例えば、ＧＵＩ２４が携帯機器に実装されるとき、打ち込み入力の必要性を削減するユーザアクションが実行されてもよい。一例として、クラウド５０は、ユーザ装置の例えば並進、回転及び／又はその他の身振り等の動作に基づいて出現、消滅、あるいはその他の方法で更新され得る。特定の場合において、第１の種類の動作を検出することがクラウド５０を出現させ、第２の種類の動作を検出することがクラウド５０を消滅させる。他の一例として、クラウド５０は、携帯機器に狙いを定めた“ブラウザディテクト（browser  detect）”によって決定されたウェブページ内で有効にされてもよい。他の一例として、キーボード、パッドボタン又はソフトキーが、アプリケーション又はブラウザのコンテキスト内にクラウド５０を立ち上げてもよい。
【００３３】
クラウド５０は、クラウド５０を表示させるための命令を含むコードを用いて実装され得る。クラウドコードは、何らかの好適な手法で（例えば、ツールバー、プラグイン、アドオン又は拡張として）埋め込まれた如何なる好適なコード（例えば、ジャバスクリプト命令）を含んでいてもよい。一例において、クラウドコードは、所定のウェブサイトのリストを有するファイルを記憶していてもよいし、あるいは該ファイルへのアクセスを有していてもよい。ユーザのウェブブラウザが所定のウェブサイトを訪問するとき、クラウドコードは、該所定のウェブサイトのコンテンツがウェブブラウザに表示されたときにクラウド５０を描写する。クラウドコードは、例えば、周期的に、あるいはウェブブラウザの始動時に、所定のウェブサイトのリストを更新してもよい。
【００３４】
クラウドコードは如何なる好適な手法で提供されてもよい。特定の例において、ユーザのコンピュータによって訪問されたウェブサイトが、ユーザのウェブブラウザのソースコードにクラウドコードを組み込み得る。訪問されたウェブサイトの検索インタフェースがアクセスされるとき、クラウド５０が出現する。他の例において、クラウドコードはウェブブラウザにインストールされてもよい。更なる他の例において、クラウドコードはウェブブラウザ内に元から統合されていてもよい。更なる他の例において、クラウドコードを含むアプリケーションがコンピュータにインストールされてもよい。
【００３５】
再び図１を参照するに、メモリ３４に格納されたターム４４は、自身又は参照によりオブジェクトを表す単語又は句（フレーズ）とし得る。例えば、“ツリー”がツリーの概念を複数の意味で表し得るとき、ターム４４は自身を表し得る。参照によりオブジェクトを表すターム４４の例は：そのタイトル（ターム）によって表されるウェブページ（オブジェクト）、そのコンテンツ（ターム）の要約、又はそのコンテンツ（ターム）を記述するフレーズ；そのタイトル（ターム）によって表されるレシピ（オブジェクト）；ユーザ名（ターム）によって表されるユーザ（オブジェクト）；そのタイトル（ターム）によって表される楽曲又はその他のマルチメディアオブジェクト（オブジェクト）；アーティスト名（ターム）によって表されるアーティスト（オブジェクト）；そのタイトル又は著者（ターム）によって表される文書（オブジェクト）；及びそのタイトル（ターム）によって表される映画（オブジェクト）を含む。
【００３６】
図示した実施形態において、ＧＵＩファシリテータ４２は、ＧＵＩ２４の表示を促す。特定の実施形態において、ＧＵＩファシリテータ４２は、特定のウェブサイトがクラウド５０、クラウド５０のコンテンツ、及び／又はクラウド５０の外観を表示すべきかについての命令を送信し得る。
【００３７】
関連性エンジン４０は、ターム間の関連性を決定する。関連性は如何なる好適な手法で定められてもよい。特定の実施形態において、関連性は親和性に従って取得され得る。例えば以下のような、親和性の如何なる好適な定義が用いられてもよい。
【００３８】
１．基本的親和性
ａ．  タームＡとＢとの間の基本的親和性（Ａ）は、タームＡ及びＢの双方を含む共起（同時出現；co-occurrence）コンテキストの数の、タームＡ又はＢの何れかを含む共起コンテキストの数に対する比として：
Ａ（Ａ，Ｂ）＝｜ＡＢ｜／｜Ａ又はＢ｜
と定義し得る。
【００３９】
２つのタームは、それらの各々が同一の共起コンテキスト又は“コンテナ”内に少なくとも一度出現する場合に共起する。共起コンテキストの例は文書及び段落を含む。表１は、コンテナ例及び対応するターム種類例のリストである。
【表１】
2010123120.tif 000003
【００４０】
ｂ．  タームＡとＢとの間の基本的親和性（Ａ）は、タームＡ及びＢの双方を含む共起コンテキストの数の、Ａを含む共起コンテキストの数又はＢを含む共起コンテキストの数の何れか大きい方に対する比として：
Ａ（Ａ，Ｂ）＝｜ＡＢ｜／ｍａｘ（｜Ａ｜，｜Ｂ｜）
と定義し得る。
【００４１】
２．方向的親和性
タームＡとＢとの間の方向的親和性（ＤＡｆｆ）は、共起コンテキスト内でＡが観測されたときにＢを観測する条件付き確率として：
ＤＡｆｆ（Ａ，Ｂ）＝｜ＡＢ｜／｜Ａ｜
と定義し得る。すなわち、方向的親和性は、タームＡ及びＢの双方を含む共起コンテキストの数の、タームＡを含む共起コンテキストの数に対する比とし得る。一般に、ＤＡｆｆ（Ａ，Ｂ）はＤＡｆｆ（Ｂ，Ａ）とは異なる。
【００４２】
３．差分方向的親和性
タームＡとＢとの間の差分方向的親和性（ＤｉｆｆＤＡｆｆ）は、タームＡとＢとの間の方向的親和性から、言語資料（コーパス）内でのタームＢの共通性を計上するファクタを差し引いたものとして定義し得る。コーパス内でのタームＢの共通性は、コーパス内のその他のタームに関するタームＢの基本的親和性又は方向的親和性の値にまたがる統計値とし得る。特定の実施形態において、コーパス内でのタームＢの共通性はタームＢの平均親和性（ＡＡ）としてもよく、それにより、差分方向的親和性の定義：
ＤｉｆｆＤＡｆｆ（Ａ，Ｂ）＝ＤＡ（Ａ，Ｂ）−ＡＡ（Ｂ）
が得られる。タームＢの平均親和性（ＡＡ）、すなわち、方向的親和性の平均は：
ＡＡ（Ｂ）＝ＤＡｆｆ（ｘ，Ｂ）のｘにわたる平均
と定義し得る。すなわち、平均親和性は、共起コンテキスト内のその他のターム全体にわたってのタームＢの方向的親和性の平均とし得る。
【００４３】
特定の実施形態において、ターム間の親和性は、タームの加重有向グラフを構築するために用いられてもよく、そのとき、ターム間の有向辺の重みが或る分野に関してのそれらの絶対的又は相対的な近接性を表すものとし得る。これらのグラフは、単一のコンテナにおける、あるいは複数のコンテナの１つ以上の集まりにまたがっての、タームのつながり（コロケーション）から取得され得る。例えば、特定の実施形態は、特定の分野における文書（コンテナ）の集まりと、各文書内での単語又はフレーズ（ターム）のコロケーションとを用いて、重みが該分野におけるターム間の近接性を表すタームの加重有向グラフを作り出し得る。
【００４４】
特定の実施形態において、分野は垂直とし得る。垂直分野の例は、例えば特許、医療情報、金融情報、遠隔通信、レシピ等の特定の話題に関連する分野を含む。１つの分野が１つ以上の特定のメディア種類を包含していてもよい。メディア種類の例は、画像、ビデオ、映画、ニュース、科学論文、広告などを含む。
【００４５】
特定の実施形態において、１つの分野が１つ以上の特定のコンテキストを包含していてもよい。コンテキストの例は、ウェブサイト、文書、コレクション等を含む。１つの分野が１つ以上のユーザに関係していてもよい。そのような分野の例は、それらのユーザの１つ以上のウェブセッション、それらのユーザのナビゲーション履歴、それらのユーザの１つ以上の嗜好、それらのユーザに関するデータ（例えば、電子メール等）、それらのユーザから１つ以上の検索エンジンへの１つ以上のクエリー、及び／又はその他の分野を含む。
【００４６】
関連性は如何なる好適な手法で決定されてもよい。特定の実施形態において、関連性は如何なる好適な計算によって決定されてもよい。計算の一例は、２００９年２月１０日に出願された“Determining  Words  Related  to  a  Given  Set  of  Words”という発明名称の米国特許出願第１２／３６８６８９号明細書に記載されている。なお、この特許文献をここに援用する。この計算は、タームの近接性を指し示すタームの加重有向グラフ上で行われる。この計算は、入力としてクラウドへの入力タームを使用する。この計算の出力は、クラウド５０に表示される出力タームとして使用される。特定の実施形態において、関連性は、分野において可能性あるターム群の、クラウド５０の最近の入力ターム群５４の少なくとも部分集合に対する関連性を計算し、該入力ターム群５４に対して最大の関連性を有するタームを返すことによって決定され得る。
【００４７】
特定の実施形態において、出力ターム５４はユーザの検索クエリーから決定され得る。そのような実施形態においては、関連タームを有するクエリーが決定され得る。入力ターム５４を含むクエリーが、例えば使用頻度の降順によってランク付けされた後、マッチされる。所定量の上位にランク付けされたクエリーが、関連タームを有するクエリーとして選択され得る。
【００４８】
特定の実施形態において、特定の１つの分野又は分野の組み合わせに関するターム関連性は、検索、タグ付け又は推薦の処理における有用性を、該分野又は分野の該組み合わせに制限しない。例えば、関連性が製薬特許の分野に関して定められたとしても、そのタームはニュース記事の分野における検索処理に用いられてもよい。
【００４９】
広告エンジン４１は、クラウド５０に含められるべき広告５７を特定する。広告エンジン４１は、関連性エンジン４０と連係して、例えば入力ターム５４及び／又は出力ターム５２等の一組のタームのうちの少なくとも１つのタームに関係する広告５７を特定してもよい。広告エンジン４１は、分野エンジン４３と連係して、分野に特有の広告５７を特定してもよい。広告エンジン４１はタームの変更に応じて広告５７を更新し得る。例えば、広告エンジン４１は、タームの組の変更を検出し、変更後の組のうちの少なくとも１つのタームに関係する次の広告５７を特定し得る。他の一例として、広告エンジン４１は、選択分野の変更を検出し、その分野に特有の次の広告５７を特定してもよい。
【００５０】
分野エンジン４３は、分野インタフェース５５を介してユーザが選択した分野を受信し、選択された分野に特有の出力ターム５２及び／又は広告５７の少なくとも部分集合を特定する。そして、特定されたターム及び／又は広告５７を用いてクラウド５０が更新され得る。新たな分野が選択されるまでは、後続のクエリーが、選択された分野に特有の出力ターム５２及び／又は広告５７を生じさせ得る。
【００５１】
分野エンジン４３は選択された分野を如何なる好適な手法で受信してもよい。特定の実施形態において、分野インタフェース５５は、ユーザが分野を選択することが可能な分野リストを有していてもよい。このような実施形態においては、分野エンジン４３は分野リストからのユーザ選択として分野を受信する。他の実施形態において、分野インタフェース５５は、ユーザが分野を選択することが可能な分野リストを有する分野メニューを表示するために選択され得る分野ボタンを有していてもよい。このような実施形態においては、分野エンジン４３は、該ボタンが選択されたことを決定し、分野リストを有する分野メニューの表示の手助けをする。そして、分野エンジン４３は分野リストからのユーザ選択として分野を受信する。
【００５２】
分野エンジン４３は、分野リストに如何なる好適な分野をリストアップしてもよい。特定の実施形態において、分野エンジン４３は、検索クエリーに高度に関係する分野をリストアップし、検索クエリーの変更に応じて分野を変更し得る。特定の実施形態において、分野エンジン４３は、比較的低い関連性の分野の前に比較的高い関連性の分野をリストアップしてもよい。
【００５３】
特定の実施形態において、分野エンジン４３は分野リストに分野を追加し得る。そのような実施形態においては、分野エンジン４３はユーザから分野追加要求を受信する。分野エンジン４３は、ユーザが追加することを望む分野を記述する１つ以上の分野検索タームをユーザが提供することを要求し得る。分野エンジン４３は、分野検索タームに関係する１つ以上の分野を検索し、該分野の表示の手助けをし得る。分野エンジン４３は、表示された複数の分野から選択された分野を受信し、選択された分野を分野リストに追加し得る。
【００５４】
分野エンジン４３は、新たな分野を作成し、該分野を一人以上のその他のユーザに利用可能にしてもよい。分野エンジン４３は如何なる好適な手法で分野を作成してもよい。特定の実施形態において、分野エンジン４３は、分野作成要求及び分野に関する分野素材をユーザから受信してもよい。分野素材は、その分野に関連する如何なる素材を含んでいてもよい。分野素材の例は、分野名、その分野を定義するターム、及び／又はその分野に属するウェブサイトや文書を含む。分野エンジン４３は、分野を作成し、該分野を分野素材にマッピングしてもよい。
【００５５】
特定の実施形態において、分野エンジン４３は、ユーザに関連付けられた分野素材から分野を自動的に（分野作成要求とは独立に）作成してもよい。そのような分野素材の例は、ユーザのコンピュータ上の素材（例えば、ファイル又はブックマークされたウェブサイト）、及び／又はユーザのコンピュータとの間でのトラフィック（例えば、電子メール又はウェブトラフィック）を含む。
【００５６】
図３は、広告及び分野の機能を備えたインタラクティブ且つ動的なクラウド５０の表示を支援するために使用され得る方法の一実施形態を示している。該実施形態を図４Ａ−４Ｅを参照して説明する。
【００５７】
この方法はステップ１１０にて開始し、ＧＵＩファシリテータ４２がクライアント２０におけるＧＵＩ２４の表示を手助けする（図４Ａ）。ＧＵＩ２４はユーザ入力欄５６及びエンプティのクラウド５０を含んでいる。クラウド５０は、カーソルがユーザ入力欄５６上に移動されたときに出現してもよい。一部の実施形態において、クラウド５０はユーザ入力欄５６及び分野インタフェース５５を含み得る。
【００５８】
ステップ１１４にて、ユーザ入力欄５６を介して１つ以上の入力ターム５４が受信される（図４Ｂ）。入力ターム５４は、ユーザが各検索タームを打ち込むときに受信され得る。この例においては、“broadband”が入力されている。ステップ１１６にて、分野インタフェース５５を介して、選択された分野が分野エンジン４３によって受信される。この例においては、“ニュース”分野が選択されて太字体で示されている。分野が選択されない場合、全ての分野を有する初期設定の分野が使用される。初期設定の分野が使用される場合、出力ターム５２、広告５２及び検索結果５８の選択は、分野の制約を受けずに実行され得る。
【００５９】
ステップ１１８にて、入力ターム５４に関係する出力ターム５２が決定される。ステップ１２０にて、分野エンジン４３が、選択された分野に特有の出力ターム５２を特定する。ステップ１２２にて、入力ターム５４に関係し且つ選択分野に特有の出力ターム５２を有するクラウド５０の表示が促される（図４Ｃ）。クラウド５０は、更なる検索タームの推薦として出力ターム５２を表示してもよい。出力ターム５２は、ユーザが検索タームを打ち込んでいるときに出現してもよい。出力ターム５２は、出力ターム５２の入力ターム５４への関連性を指し示すフォントサイズを有していてもよい。ステップ１２４にて、クラウド５０の広告５７の表示が促される（図４Ｃ）。広告５７は、検索に関連するターム（例えば、入力ターム５４及び／又は出力ターム５２など）に関係し、且つ／或いは選択分野に特有であり得る。
【００６０】
ステップ１３０にて、検索クエリーが実行される。クエリーは、タームが当該クエリーに追加あるいは当該クエリーから削除されたとき、及び／又は分野が選択あるいは変更されたときに、自動的に実行されてもよい。他の例においては、クエリーは、例えば検索ボタンを選択することによって送信された明示的な実行要求に応答して実行されてもよく、また、例えば１０−２０秒、２０−２４秒又は４０−６０秒の範囲で活動が無いといった、所定期間の無活動の後に実行されてもよい。ステップ１３２にて、検索結果５８が提示される（図４Ｄ）。検索結果５８は、同一ページ上且つクラウド５０の近傍に提示され得る。
【００６１】
ステップ１３６にて、入力ターム５４及び／又は分野が変更され得る（図４Ｄ）。例えば、検索クエリーに出力ターム５２を追加するか、あるいは検索クエリーから出力ターム５２を排除するかのために、ユーザが出力ターム５２をクリックすることがある。入力ターム５４及び／又は分野が変更される度に、クラウド５０の出力ターム５２が更新される。この例においては、“broadband”に“multiplexing”及び“optical”が追加され、異なる出力ターム５２が生成されている。入力ターム５４及び／又は分野が異なる場合、この方法はステップ１１４へと戻る。ステップ１３６で入力ターム５４及び／又は分野が変更されていない場合、この方法はステップ１４２へと進む。
【００６２】
ステップ１４２にて、分野を追加且つ／或いは作成（追加／作成）するためのユーザからの要求が、分野エンジン４３によって受信される。この例においては、この要求は“特許”分野を追加／作成するためのものである。分野エンジン４３は、ステップ１４４にて該分野を追加／作成し、ステップ１４８にて分野インタフェース５５を更新する（図４Ｅ）。そして、この方法は終了する。
【００６３】
ここで説明したシステム及び装置の構成要素は、インタフェース、ロジック、メモリ、及び／又はその他の好適な要素を含み得る。インタフェースは、入力を受信し、出力を送信し、入力及び／又は出力を処理し、且つ／或いはその他の好適な動作を実行する。インタフェースはハードウェア及び／又はソフトウェアを有し得る。
【００６４】
ロジックは、構成要素の動作を実行し、例えば、入力から出力を生成するための命令を実行する。ロジックは、ハードウェア、ソフトウェア、及び／又はその他のロジックを含み得る。ロジックは、１つ以上の有形媒体内にコード化されて、コンピュータによって実行されるときに処理を実行してもよい。例えばプロセッサ等の一定のロジックは構成要素の処理を管理し得る。プロセッサの例は、１つ以上のコンピュータ、１つ以上のマイクロプロセッサ、１つ以上のアプリケーション、及び／又はその他のロジックを含む。
【００６５】
特定の実施形態において、実施形態の処理は、コンピュータプログラム、ソフトウェア、コンピュータ実行可能命令、及び／又はコンピュータによって実行されることが可能な命令でコード化された、１つ以上のコンピュータ読み取り可能媒体によって実行されてもよい。特定の実施形態において、実施形態の処理は、コンピュータプログラムを格納した、それで具現化された、且つ／或いはそれでコード化された１つ以上のコンピュータ読み取り可能媒体によって実行されてもよいし、格納且つ／或いはコード化されたコンピュータプログラムを有する１つ以上のコンピュータ読み取り可能媒体によって実行されてもよい。
【００６６】
メモリは情報を格納する。メモリは、１つ以上の、有形の、コンピュータ読み取り可能な、且つ／或いはコンピュータ実行可能な記憶媒体を有し得る。メモリの例は、コンピュータメモリ（例えば、ランダムアクセスメモリ（ＲＡＭ）又は読み出し専用メモリ（ＲＯＭ））、大容量記憶媒体（例えば、ハードディスク）、取り外し可能記憶媒体（例えば、コンパクトディスク（ＣＤ）又はデジタルビデオディスク（ＤＶＤ））、データベースやネットワークストレージ（例えば、サーバ）、及び／又はその他のコンピュータ読み取り可能媒体を含む。
【００６７】
ここで説明したシステム及び装置には、本発明の範囲を逸脱することなく、変更、付加又は省略が為され得る。システム及び装置の構成要素は一体化されてもよいし、別個にされてもよい。また、システム及び装置の動作は、より多い、より少ない、あるいはその他の構成要素によって実行されてもよい。さらに、システム及び装置の動作は、ソフトウェア、ハードウェア及び／又はその他のロジックを有する如何なる好適なロジックを用いて実行されてもよい。本明細書において、“各”は、組の各要素、又は組の部分集合の各要素を意味する。
【００６８】
ここで説明した方法には、本発明の範囲を逸脱することなく、変更、付加又は省略が為され得る。この方法は、より多い、より少ない、あるいはその他のステップを含んでいてもよい。さらに、ステップ群は如何なる好適な順序で実行されてもよい。
【００６９】
この開示は特定の実施形態に関して説明されたが、これらの実施形態への改変及び置換が当業者に明らかになるであろう。従って、これらの実施形態に係る以上の説明は、この開示を制限するものではない。特許請求の範囲によって定められるこの開示の主旨及び範囲を逸脱することなく、更なる変形、代用及び変更が可能である。
【００７０】
以上の説明に関し、更に以下の付記を開示する。
【００７１】
（付記１）  グラフィカル・ユーザ・インタフェースの図形的なクラウドであり、ユーザ入力欄及び分野インタフェースを有するクラウド、の表示を促す段階と、
前記ユーザ入力欄に入力された一組の入力タームを受信する段階と、
前記分野インタフェースに入力された選択分野を受信する段階と、
前記入力タームに関係し且つ前記選択分野に特有の１つ以上の出力タームを決定する段階と、
前記出力タームを有する前記図形的なクラウドの表示を促す段階と
を有する方法。
【００７２】
（付記２）  分野追加要求及び１つ以上の分野検索タームを受信する段階と、
前記分野検索タームに関係する１つ以上の分野を検索する段階と、
前記１つ以上の分野を有する前記図形的なクラウドの表示を促す段階と、
前記１つ以上の分野からの選択結果を受信する段階と
を更に有する付記１に記載の方法。
【００７３】
（付記３）  新たな分野の作成を要求する分野作成要求を受信する段階と、
該分野に関する分野素材を受信する段階と、
前記新たな分野を前記分野素材にマッピングする段階と、
前記新たな分野を有する前記図形的なクラウドの表示を促す段階と
を更に有する付記１に記載の方法。
【００７４】
（付記４）  分野を作成する段階と、
作成された分野を１以上のその他のユーザに利用可能にする段階と
を更に有する付記１に記載の方法。
【００７５】
（付記５）  区別可能な図形的特徴を持つ前記選択分野を有する前記分野インタフェースの表示を促す段階
を更に有する付記１に記載の方法。
【００７６】
（付記６）  前記分野インタフェースは分野リストを有し、且つ
前記選択分野を受信する段階は、前記分野リストから選択された分野を受信する段階を有する、
付記１に記載の方法。
【００７７】
（付記７）  前記分野インタフェースは分野ボタンを有し、且つ
前記選択分野を受信する段階は、
前記分野ボタンが選択されたことを決定する段階と、
分野リストを有する分野メニューの表示を促す段階と、
前記分野リストから選択された分野を受信する段階と
を有する、
付記１に記載の方法。
【００７８】
（付記８）  前記図形的なクラウドを表示するための１つ以上の命令を有するクラウドコードにアクセスする段階と、
前記クラウドコードに従って前記図形的なクラウドの表示を促す段階と
を更に有する付記１に記載の方法。
【００７９】
（付記９）  １つ以上の予め存在する出力タームを前記クラウドに事前投入する段階
を更に有する付記１に記載の方法。
【００８０】
（付記１０）  １つ以上の有形のコンピュータ読み取り可能記憶媒体であって、実行されたときに、
グラフィカル・ユーザ・インタフェースの図形的なクラウドであり、ユーザ入力欄及び分野インタフェースを有するクラウド、の表示を促し、
前記ユーザ入力欄に入力された一組の入力タームを受信し、
前記分野インタフェースに入力された選択分野を受信し、
前記入力タームに関係し且つ前記選択分野に特有の１つ以上の出力タームを決定し、且つ
前記出力タームを有する前記図形的なクラウドの表示を促す
よう作用するロジック、を格納した媒体。
【００８１】
（付記１１）  前記ロジックは、実行されたときに更に、
分野追加要求及び１つ以上の分野検索タームを受信し、
前記分野検索タームに関係する１つ以上の分野を検索し、
前記１つ以上の分野を有する前記図形的なクラウドの表示を促し、且つ
前記１つ以上の分野からの選択結果を受信する
よう作用する、付記１０に記載の媒体。
【００８２】
（付記１２）  前記ロジックは、実行されたときに更に、
新たな分野の作成を要求する分野作成要求を受信し、
該分野に関する分野素材を受信し、
前記新たな分野を前記分野素材にマッピングし、且つ
前記新たな分野を有する前記図形的なクラウドの表示を促す
よう作用する、付記１０に記載の媒体。
【００８３】
（付記１３）  前記ロジックは、実行されたときに更に、
分野を作成し、且つ
作成された分野を１以上のその他のユーザに利用可能にする
よう作用する、付記１０に記載の媒体。
【００８４】
（付記１４）  前記ロジックは、実行されたときに更に、
区別可能な図形的特徴を持つ前記選択分野を有する前記分野インタフェースの表示を促す
よう作用する、付記１０に記載の媒体。
【００８５】
（付記１５）  前記分野インタフェースは分野リストを有し、且つ
前記ロジックは、実行されたときに更に、前記分野リストから選択された分野を受信することによって、前記選択分野を受信するよう作用する、
付記１０に記載の媒体。
【００８６】
（付記１６）  前記分野インタフェースは分野ボタンを有し、且つ
前記ロジックは、実行されたときに更に、
前記分野ボタンが選択されたことを決定すること、
分野リストを有する分野メニューの表示を促すこと、及び
前記分野リストから選択された分野を受信すること
によって、前記選択分野を受信するよう作用する、
付記１０に記載の媒体。
【００８７】
（付記１７）  前記ロジックは、実行されたときに更に、
前記図形的なクラウドを表示するための１つ以上の命令を有するクラウドコードにアクセスし、且つ
前記クラウドコードに従って前記図形的なクラウドの表示を促す
よう作用する、付記１０に記載の媒体。
【００８８】
（付記１８）  前記ロジックは、実行されたときに更に、
１つ以上の予め存在する出力タームを前記クラウドに事前投入する
よう作用する、付記１０に記載の媒体。
【００８９】
（付記１９）  グラフィカル・ユーザ・インタフェースの図形的なクラウドであり、ユーザ入力欄を有するクラウド、の表示を促す段階と、
前記ユーザ入力欄に入力された一組の入力タームを受信する段階と、
前記入力タームに関係する１つ以上の出力タームを決定する段階と、
前記入力ターム及び前記出力タームを有する組のうちの少なくとも１つのタームに関係する１つ以上の広告を特定する段階と、
前記１つ以上の広告を有する前記図形的なクラウドの表示を促す段階と
を有する方法。
【００９０】
（付記２０）  前記１つ以上の広告を特定する段階は更に、
選択分野に特有の１つ以上の広告を特定する段階
を有する、付記１９に記載の方法。
【００９１】
（付記２１）  前記入力ターム及び前記出力タームを有する前記組の変更を検出する段階と、
変更された組のうちの少なくとも１つのタームに関係する１つ以上の次の広告を特定する段階と、
前記１つ以上の次の広告を有する前記図形的なクラウドの表示を促す段階と
を更に有する付記１９に記載の方法。
【００９２】
（付記２２）  １つ以上の有形のコンピュータ読み取り可能記憶媒体であって、実行されたときに、
グラフィカル・ユーザ・インタフェースの図形的なクラウドであり、ユーザ入力欄を有するクラウド、の表示を促し、
前記ユーザ入力欄に入力された一組の入力タームを受信し、
前記入力タームに関係する１つ以上の出力タームを決定し、
前記入力ターム及び前記出力タームを有する組のうちの少なくとも１つのタームに関係する１つ以上の広告を特定し、且つ
前記１つ以上の広告を有する前記図形的なクラウドの表示を促す
よう作用するロジック、を格納した媒体。
【００９３】
（付記２３）  前記ロジックは、実行されたときに更に、選択分野に特有の１つ以上の広告を特定することによって前記１つ以上の広告を特定するよう作用する、付記２２に記載の媒体。
【００９４】
（付記２４）  前記ロジックは、実行されたときに更に、
前記入力ターム及び前記出力タームを有する前記組の変更を検出し、
変更された組のうちの少なくとも１つのタームに関係する１つ以上の次の広告を特定し、且つ
前記１つ以上の次の広告を有する前記図形的なクラウドの表示を促す
よう作用する、付記２２に記載の媒体。
【符号の説明】
【００９５】
１０  システム
２０  クライアント
２４  グラフィカル・ユーザ・インタフェース（ＧＵＩ）
２６  サーバ
３０  インタフェース
３２  ロジック
３４  メモリ
３６  プロセッサ
３８  アプリケーション
４０  関連性エンジン
４１  広告エンジン
４２  ＧＵＩファシリテータ
４３  分野エンジン
４４  ターム
５０  クラウド
５２  出力ターム
５４  入力ターム
５５  分野インタフェース
５６  ユーザ入力欄
５７  広告
５８  検索結果
【図１】
2010123120.tif 000004
【図２】
2010123120.tif 000005
【図３】
2010123120.tif 000006
【図４Ａ】
2010123120.tif 000007
【図４Ｂ】
2010123120.tif 000008
【図４Ｃ】
2010123120.tif 000009
【図４Ｄ】
2010123120.tif 000010
【図４Ｅ】
2010123120.tif 000011